(57)【特許請求の範囲】
【請求項１】
原稿台（ｄｏｃｕｍｅｎｔ  ｂｅｄ）と、
主スキャン方向に移動しながら前記原稿台上に置かれた原稿をスキャンするように作動可能であり、前記原稿に光を照明する照明装置を有するスキャナモジュールであって、前記照明装置は、第１光源から受光した光を前記原稿の表面上に向かわせるように主スキャン方向と直交するサブスキャン方向に延びる第１導光部材、及び第２光源から受光した光を前記原稿の表面上に向かわせるように前記主スキャン方向と直交するサブスキャン方向に延びる第２導光部材を有し、前記第１導光部材及び前記第２導光部材は、前記第１導光部材により前記原稿を照明する光の中心線と前記前記第２導光部材により前記原稿を照明する光の中心線とが離隔するようにホルダー（ｈｏｌｄｅｒ）内に傾斜して配置される、スキャナモジュール、を備え、
前記第１及び第２導光部材のそれぞれは、前記光源のいずれか一方から照射された光が入射する入射面、前記入射面から入射した前記光を反射するように形成された反射面、前記入射光をガイドするガイド面、及び前記反射面と前記ガイド面により反射された光が出射するように前記反射面に対向する出射面を有し、
前記ガイド面は、
前記第１及び第２導光部材それぞれの長手方向の両側面に互いに対称に設けられ、
前記反射面の両側から延長形成されて該反射面と第１鈍角をなす第１ガイド面及び前記第１ガイド面の端部から延長形成されて該第１ガイド面と第２鈍角をなす第２ガイド面から成り、前記第１及び第２鈍角の少なくとも１つは、前記反射面で反射されて前記第１及び第２ガイド面へ入射する光が全反射する臨界入射角に９０度を加えた角度になるように形成され、
前記出射面の表面積は前記反射面の表面積よりも大きく、
前記第１及び第２導光部材のそれぞれにおける前記反射面には前記サブスキャン方向に不均一に分布する複数の反射溝が設けられて、隣接した反射溝同士の離隔距離が、前記導光部材の中心から前記入射面を有する前記導光部材の第１端部側に向かって漸次増加するようにし、前記反射溝は、前記光源のいずれか一方から受光した光を拡散及び反射させ、
前記第１及び第２導光部材のそれぞれの前記出射面は、所定の曲率を持つ弧状の区域を有する凸レンズとして設けられることを特徴とする、複合機。
【請求項２】
前記第１及び第２導光部材のそれぞれは、前記入射面に対向する端部から光が出力されないように形成されることを特徴とする、請求項１に記載の複合機。
【請求項３】
前記第１及び第２導光部材のそれぞれは、
前記入射面に対向する前記端部から光が出力されないように、
前記入射面に対向する前記端部に反射板が設けられることを特徴とする、請求項２に記載の複合機。
【請求項４】
前記複数の反射溝は、前記光源のいずれか一方から受光した光を拡散及び反射させる複数の反射溝を有することを特徴とする、請求項１に記載の複合機。
【請求項５】
前記入射面は、前記導光部材の１つの端部面に設けられ、
前記導光部材の他端には反射板が設けられ、前記反射板は、前記入射面に入射した前記光または前記反射面により反射された前記光を、前記導光部材の内部に向かって反射させることを特徴とする、請求項１に記載の複合機。
【請求項６】
前記出射面は、前記原稿上に出射する前記光を集光させる集光レンズ形状を有することを特徴とする、請求項１に記載の複合機。
【請求項７】
前記反射面は、前記反射面に形成された鋸歯パターンを有することを特徴とする、請求項１に記載の複合機。
【請求項８】
前記第１及び第２導光部材は、その端部同士が連結されるように一体として射出成形されることを特徴とする、請求項１に記載の複合機。
【請求項９】
前記原稿に光が照明される領域は第１領域及び第２領域を有し、前記第１導光部材は前記第１領域を照明し、前記第２導光部材は前記第２領域を照明することを特徴とする、請求項１に記載の複合機。
【請求項１０】
前記原稿を照明する光の光量は、前記第１及び第２領域のそれぞれの中心位置で最大化することを特徴とする、請求項９に記載の複合機。
【請求項１１】
前記第１及び第２領域を照明する全体光は、前記第１領域の中心位置と前記第２領域の中心位置との距離にかかわらず均一であることを特徴とする、請求項１０に記載の複合機。
【請求項１２】
複数の列で設けられており、所定の距離で互いに離隔している複数のイメージセンサを有するセンサ部をさらに備えることを特徴とする、請求項１１に記載の複合機。
【請求項１３】
前記原稿と結像レンズとの間に配置され、前記原稿からの前記光を反射させて前記原稿から進行する前記光の方向を変化させるように構成された複数の反射ミラーをさらに備えることを特徴とする、請求項１２に記載の複合機。
【請求項１４】
前記照明装置と前記複数の反射ミラーとの間に配置され、前記センサ部に向かって進行する光を調節するように構成された開口絞りをさらに備えることを特徴とする、請求項１３に記載の複合機。
【請求項１５】
前記光源は、発光ダイオードを有することを特徴とする、請求項１に記載の複合機。
【請求項１６】
主スキャン方向に移動しながらイメージスキャニング装置の原稿台（ｄｏｃｕｍｅｎｔ  ｂｅｄ）上に置かれた原稿をスキャンするように作動可能なスキャナモジュールと、
前記スキャナモジュールにより獲得されたイメージを処理するように構成されたイメージプロセッサと、を備え、
前記スキャナモジュールは前記原稿を照明するように構成された照明装置を有し、
前記照明装置は、
第１光を照射するように構成された第１光源と、
第２光を照射するように構成された第２光源と、
主スキャン方向と直交するサブスキャン方向に延びる、前記第１光源から発された前記第１光を前記原稿の表面上に向かわせるように構成された第１導光部材と、
前記主スキャン方向と直交するサブスキャン方向に延びる、前記第２光源から受光した光を前記原稿の表面上に向かわせるように構成された第２導光部材と、を有し、
前記第１導光部材及び前記第２導光部材は、前記原稿を照明する前記第１光源からの第１光の第１中心線が前記原稿を照明する前記第２光源からの第２光の第２中心線と離隔するように、ホルダー（ｈｏｌｄｅｒ）内にそれぞれ傾斜して配置され、
前記第１及び第２導光部材のそれぞれは、
前記第１及び第２光の少なくとも一方が入射する入射面と、
前記サブスキャン方向に非対称に分布する複数の反射溝を有し、隣接した反射溝同士の離隔距離が、前記導光部材の中心から前記入射面を有する前記導光部材の第１端部に向かって漸次増加するようにし、前記反射溝は、前記第１及び第２光源から発されて前記入射面を通過する前記第１及び第２光を拡散及び反射させる反射面と、
前記入射光をガイドする複数のガイド面と、
前記反射面に対向して設けられ、前記反射面及び前記ガイド面により反射された光が出射するように前記反射面の表面積よりも大きい表面積を有し、所定の曲率を持つ弧状の区域を有する凸レンズとして設けられた出射面と、を有し、
前記ガイド面は、
前記第１及び第２導光部材それぞれの長手方向の両側面に互いに対称に設けられ、
前記反射面の両側から延長形成されて該反射面と第１鈍角をなす第１ガイド面及び前記第１ガイド面の端部から延長形成されて該第１ガイド面と第２鈍角をなす第２ガイド面から成り、前記第１及び第２鈍角の少なくとも１つは、前記反射面により反射されて前記第１及び第２ガイド面へ入射する光が全反射する臨界入射角に９０度を加えた角度になるように形成されることを特徴とする、イメージスキャニング装置。
【請求項１７】
前記イメージプロセッサは、
前記獲得されたイメージからイメージファイルを形成するよう構成されたファイル形成部、及び印刷媒体上に前記獲得されたイメージに対応する印刷イメージを形成するように構成されたイメージ形成部のうち、少なくとも一方を有することを特徴とする、請求項１６に記載のイメージスキャニング装置。
【請求項１８】
前記第１及び第２導光部材のそれぞれは、前記入射面に対向する端部から光が出力されないように形成されることを特徴とする、請求項１６に記載のイメージスキャニング装置。
【請求項１９】
前記原稿を照明する光の光量は、前記第１及び第２中心線で最大化することを特徴とする、請求項１６に記載のイメージスキャニング装置。
【請求項２０】
前記原稿を照明する全体光は、前記第１領域の前記中心位置と前記第２領域の前記中心位置との間の距離にかかわらず均一であることを特徴とする、請求項１９に記載のイメージスキャニング装置。
【請求項２１】
前記光源は発光ダイオードを有することを特徴とする、請求項１６に記載のイメージスキャニング装置。
【請求項２２】
前記複数の反射溝は、前記第１及び第２光源から受光した光を拡散及び反射させる複数の反射溝を有することを特徴とする、請求項１６に記載のイメージスキャニング装置。
【請求項２３】
前記入射面は前記第１及び第２導光部材のそれぞれの一端に形成され、前記第１及び第２導光部材のそれぞれの他端には反射板が設けられ、前記反射板は、前記入射面に入射した前記光、及び前記反射面により前記第１及び第２導光部材の少なくとも一方に向かって反射された前記光のうち少なくとも一方を反射させることを特徴とする、請求項１６に記載のイメージスキャニング装置。
【請求項２４】
前記出射面は、前記原稿上に出射する前記光を集光させる集光レンズの形状を有することを特徴とする、請求項１６に記載のイメージスキャニング装置。
【請求項２５】
前記反射面は、前記反射面上に形成される鋸歯パターンを有することを特徴とする、請求項１６に記載のイメージスキャニング装置。
【請求項２６】
前記離隔距離は、前記導光部材の中心から、前記入射面を有する前記導光部材の第１端部に向かって漸次増加する前記複数の反射溝のうち、隣接する各反射溝間の離隔距離を含むことを特徴とする、請求項１に記載の複合機。
【請求項２７】
前記離隔距離は、前記導光部材の中心から前記入射面を有する前記導光部材の第１端部に向かって漸次増加する前記複数の反射溝のうち、隣接する各反射溝間の離隔距離を含むことを特徴とする、請求項１６に記載のイメージスキャニング装置。
【発明の詳細な説明】
【技術分野】
【０００１】
本発明は、スキャナモジュールを備えた複合機及びイメージスキャニング装置に関する。
【背景技術】
【０００２】
一般に、イメージスキャニング装置はスキャナモジュールを含む。上記スキャナモジュールは多数個の構成要素を備える。即ち、上記スキャナモジュールは、センシング部、照明装置、反射鏡、及びイメージレンズを備える。上記照明装置により原稿に対するスキャニング作業がなされる。照明装置に使われる光源はランプである。最近、スキャナに提供されるランプには冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）やキセノンランプ（Ｘｅｎｏｎ  ｌａｍｐ）がある。従来には蛍光ランプがスキャナに提供された。特に、上記照明装置は上記反射鏡を通じて光を原稿上に照射する。
【０００３】
上記原稿のイメージは傾斜したミラー（ｍｉｒｒｏｒ）または一連のミラーにより反射される。いくつかのスキャナは、２つのミラーだけを具備しているが、スキャナによって２つ以上のミラーが備えられることができる。それぞれのミラーは小さな表面上に反映されたイメージをフォーカスするために若干屈曲するように形成される。最後のミラーは、イメージをレンズに向かって反射させる。上記レンズはフィルタを介してイメージをセンシング部上にフォーカシングする。
【０００４】
スキャナモジュールに使われる光源は多くの有利な特徴を持っていなければならない。例えば、上記光源はイメージが形成される用紙上の所定領域に充分の輝度を提供するべきである。また、上記光源は上記イメージが適切にスキャンできるように原稿上に均一に光を照射するべきである。
【０００５】
多様な種類の光源が開発されて光を提供する照明装置の一部として使われている。例えば、高い強さ（ｉｎｔｅｎｓｉｔｙ）を有する白色発光ダイオード（Ｌｉｇｈｔ  ｅｍｉｔｔｉｎｇ  ｄｉｏｄｅ；以下、‘ＬＥＤ’という）が開発されるにつれて、この白色ＬＥＤを照明光源として採用したスキャナモジュールが開発されている。
【０００６】
上記スキャナモジュールに採用されるセンサ部はスキャンされるイメージの形態に従って相異する構造で形成されることができる。例えば、上記センサ部は白黒イメージスキャニングのために単一列で配列された構成を有するか、カラーイメージスキャニングのための多数列で配列された構成を有する。
【０００７】
図１は、一般的なカラーイメージスキャニングのためのカラーセンサ部を含んだスキャニングモジュールを示す図である。図面を参照すると、センサ部７は多数列で構成された各カラー別イメージセンサ７ａを含み、各カラー別イメージセンサ７ａがなす列は所定間隔だけ離隔している。原稿１の所定のスキャニング領域（Ａ）の画像が結像レンズ５を介してセンサ部７に結像される。好ましいスキャニングのためには、上記原稿の所定領域（Ａ）に亘って均一光を照明することが要求される。
【０００８】
スキャナモジュールの結像位置は光が原稿からセンサ部上に反射される位置である。全てのスキャナでスキャニングモジュールの結像位置が同一に形成されることが最も好ましい。即ち、上記結像位置はスキャナモジュールの設計仕様により指定される。しかしながら、上記スキャナの製造工程過程で発生される欠陥により、実際のスキャナモジュールの結像位置は互いに相異するように形成されることができる。
【０００９】
図２及び図３の各々は、一般的なスキャナモジュールで結像位置の変化を説明するための概略的な図である。図２及び図３を参照すると、実線は部品が適切に配置されている理想的に組み立てられたスキャナモジュールの光経路を表す。即ち、上記の実線は意図された光経路を表す。しかしながら、図２に示すように、スキャナモジュールの製造工程中に、または作動過程中に反射ミラー１１の配置が横に曲がることがある。このような場合、スキャナモジュールの結像位置は理想的は位置から外れることとなる。
【００１０】
例えば、図２に示すように反射ミラー１１が横に曲がるように配置された場合や、図３に示すようにセンサ部２５が横に曲がるように配置された場合、実線で表した正常な光経路（Ｌ１）（Ｌ３）でない破線で表した正常でない光経路（Ｌ２）（Ｌ４）を通じて入射された光がセンサ部１５、２５に結像される。
【００１１】
また、原稿面上の結像位置の変更は、スキャナモジュールの使用環境による影響を受けることがある。即ち、高温や低温環境でスキャナモジュールを作動する場合、光学要素の位置及び寸法に変化が発生する。これによって、初期セッティングされた光経路が変更されて、原稿面上の結像位置が変わることになる。
【００１２】
上記スキャナモジュールの結像位置の変化を最小化するための多様な技術がある。一例として、公差範囲内で光路の変化が発生することを甘受し、原稿１上に光を均一に照明する技術がある。
【００１３】
従来のＬＥＤを照明光源として採用したイメージスキャナが以下の特許文献１（公開日：２００４年６月１７日）に開示されたことがある。図４を参照すると、開示された従来のイメージスキャナは、基板３１上にＸ方向に相互離隔されるように設置された第１及び第２のＬＥＤ光源３５ａ、３５ｂと、上記第１及び第２のＬＥＤ光源３５ａ、３５ｂの各々に一体形成されて照明光を集光させる第１及び第２集光レンズ３７ａ、３７ｂを含む。ここで、上記第１及び第２集光レンズ３７ａ、３７ｂの各々は、第１及び第２のＬＥＤ光源３５ａ、３５ｂから照射された光が基板３１の法線方向に対して傾斜した方向に進行できるように配置される。また、図４に示すように、第１及び第２集光レンズ３７ａ、３７ｂは、原稿が位置する原稿台３９上の１つの位置（Ｃ）を照明するように配置されている。
【００１４】
図５は図４のように、光源と集光レンズを配置した場合において、原稿面での光量分布を示すグラフである。図５を参照すると、参照番号Ｉは第１のＬＥＤ光源３５ａから照明され、第１集光レンズ３７ａで集束されて、原稿台３９上の原稿面に結ばれた光量分布を示す曲線であり、参照番号ＩＩは第２のＬＥＤ光源３５ｂから照明され、第２集光レンズ３７ｂで集束されて、原稿台３９上に結ばれた光量分布を示す曲線である。そして、参照番号ＩＩＩは曲線Ｉと曲線ＩＩとを合算した曲線である。
【００１５】
曲線Ｉ、ＩＩを見ると、中心位置（Ｃ）で光量分布が最大になることが分かる。中心位置（Ｃ）は光源３５ａ、３５ｂに対してＸ方向に等間隔離隔される。したがって、前述した２つの光量分布を合算した曲線ＩＩＩを見ると、中心位置（Ｃ）を中心にしたガウシアン（Ｇａｕｓｓｉａｎ）形状の原稿面光量分布を有することが分かる。
【００１６】
【特許文献１】特開２００４−１７０８５８号公報
【発明の開示】
【発明が解決しようとする課題】
【００１７】
しかし、上記イメージスキャナは、イメージをスキャンすることにおいて、多くの欠点を有している。例えば、上記イメージスキャナは、光量分布が原稿の中心位置で最大になるため、原稿面上の広い領域に均一な光量分布を具現することができない。したがって、スキャンされたイメージの品質が低下することがある。これは、上記原稿面上の広い領域もスキャンされなければならないためである。
【００１８】
そこで、本発明は、上記問題に鑑みてなされたものであり、本発明の目的とするところは、上記のような従来のイメージスキャナの問題点を解消することが可能な、新規かつ改良されたスキャナモジュールを備えた複合機及びイメージスキャニング装置を提供することにある。
【課題を解決するための手段】
【００１９】
上記課題を解決するために、本発明のある観点によれば、原稿台（ｄｏｃｕｍｅｎｔ  ｂｅｄ）と、主スキャン方向に移動しながら前記原稿台上に置かれた原稿をスキャンするように作動可能であり、前記原稿に光を照明する照明装置を有するスキャナモジュールであって、前記照明装置は、第１光源から受光した光を前記原稿の表面上に向かわせるように主スキャン方向と実質的に直交するサブスキャン方向に延びる第１導光部材、及び第２光源から受光した光を前記原稿の表面上に向かわせるように前記主スキャン方向と実質的に直交するサブスキャン方向に延びる第２導光部材を有し、前記第１導光部材及び前記第２導光部材は、前記第１導光部材により前記原稿を照明する光の中心線と前記前記第２導光部材により前記原稿を照明する光の中心線とが離隔するようにホルダー（ｈｏｌｄｅｒ）内に傾斜して配置される、スキャナモジュール、を備え、前記第１及び第２導光部材のそれぞれは、前記光源のいずれか一方から照射された光が入射する入射面、前記入射面から入射した前記光を反射するように形成された反射面、前記入射光をガイドするガイド面、及び前記反射面と前記ガイド面により反射された光が出射するように前記反射面に対向する出射面を有し、前記出射面の表面積は前記反射面の表面積よりも大きく、前記第１及び第２導光部材のそれぞれにおける前記反射面には前記サブスキャン方向に不均一に分布する複数の反射溝が設けられて、隣接した反射溝同士の離隔距離が、前記導光部材の中心から前記入射面を有する前記導光部材の第１端部側に向かって漸次増加するようにし、前記反射溝は、前記光源のいずれか一方から受光した光を拡散及び反射させ、前記第１及び第２導光部材のそれぞれの前記出射面は、所定の曲率を持つ弧状の区域を有する凸レンズとして設けられた、複合機が提供される。
【００２０】
前記第１及び第２導光部材のそれぞれは、前記入射面に対向する端部から光が出力されないように形成されてもよい。
【００２１】
前記第１及び第２導光部材のそれぞれは、前記入射面に対向する前記端部から光が出力されないように、前記入射面に対向する前記端部に反射板が設けられてもよい。
【００２２】
前記複数の反射溝は、前記光源のいずれか一方から受光した光を拡散及び反射させる複数の反射溝を有してもよい。
【００２３】
前記入射面は、前記導光部材の１つの端部面に設けられ、前記導光部材の他端には反射板が設けられ、前記反射板は、前記入射面に入射した前記光または前記反射面により反射された前記光を、前記導光部材の内部に向かって反射させてもよい。
【００２４】
前記出射面は、前記原稿上に出射する前記光を集光させる集光レンズ形状を有してもよい。
【００２５】
前記反射面は、前記反射面に形成された鋸歯パターンを有してもよい。
【００２６】
前記第１及び第２導光部材は、その端部同士が連結されるように一体として射出成形されてもよい。
【００２７】
前記原稿に光が照明される領域は第１領域及び第２領域とを有し、前記第１導光部材は前記第１領域を照明し、前記第２導光部材は前記第２領域を照明してもよい。
【００２８】
前記原稿を照明する光の光量は、前記第１及び第２領域のそれぞれの中心位置で最大化してもよい。
【００２９】
前記第１及び第２領域を照明する全体光は、前記第１領域の中心位置と前記第２領域の中心位置との距離にかかわらずに実質的に均一でもよい。
【００３０】
複数の列で設けられており、所定の距離で互いに離隔している複数のイメージセンサを有するセンサー部をさらに備えてもよい。
【００３１】
前記原稿と結像レンズとの間に配置され、前記原稿からの前記光を反射させて前記原稿から進行する前記光の方向を変化させるように構成された複数の反射ミラーをさらに備えてもよい。
【００３２】
前記照明装置と前記複数の反射ミラーとの間に配置され、前記センサ部に向かって進行する光を調節するように構成された開口絞りをさらに備えてもよい。
【００３３】
前記光源は発光ダイオードを含んでもよい。
【００３４】
前記離隔距離は、前記導光部材の中心から、前記入射面を有する前記導光部材の第１端部に向かって漸次増加する前記複数の反射溝のうち、隣接する各反射溝間の離隔距離を含んでもよい。
【００３５】
また、上記課題を解決するために、本発明の別の観点によれば、主スキャン方向に移動しながらイメージスキャニング装置の原稿台（ｄｏｃｕｍｅｎｔ  ｂｅｄ）上に置かれた原稿をスキャンするように作動可能なスキャナモジュールと、前記スキャナモジュールにより獲得されたイメージを処理するように構成されたイメージプロセッサと、を備え、前記スキャナモジュールは前記原稿を照明するように構成された照明装置を有し、前記照明装置は、第１光を照射するように構成された第１光源と、第２光を照射するように構成された第２光源と、主スキャン方向と実質的に直交するサブスキャン方向に延びる、前記第１光源から発された前記第１光を前記原稿の表面上に向かわせるように構成された第１導光部材と、前記主スキャン方向と実質的に直交するサブスキャン方向に延びる、前記第２光源から受光した光を前記原稿の表面上に向かわせるように構成された第２導光部材と、を有し、前記第１導光部材及び前記第２導光部材は、前記原稿を照明する前記第１光源からの第１光の第１中心線が前記原稿を照明する前記第２光源からの第２光の第２中心線と離隔するように、ホルダー（ｈｏｌｄｅｒ）内にそれぞれ傾斜して配置され、前記第１及び第２導光部材のそれぞれは、前記第１及び第２光の少なくとも一方が入射する入射面と、  前記サブスキャン方向に非対称に分布する複数の反射溝を有し、隣接した反射溝同士の離隔距離が、前記導光部材の中心から前記入射面を有する前記導光部材の第１端部に向かって漸次増加するようにし、前記反射溝は、前記第１及び第２光源から発されて前記入射面を通過する前記第１及び第２光を拡散及び反射させる、反射面と、前記入射光をガイドする複数のガイド面と、前記反射面に対向して設けられており、前記反射面及び前記ガイド面により反射された光が出射するように前記反射面の表面積よりも大きい表面積を有する出射面であって、前記第１及び第２導光部材のそれぞれの前記出射面は、所定の曲率を持つ弧状の区域を有する凸レンズとして設けられた出射面と、を有する、イメージスキャニング装置が提供される。
【００３６】
前記イメージプロセッサは、前記獲得されたイメージからイメージファイルを形成するよう構成されたファイル形成部、及び印刷媒体上に前記獲得されたイメージに対応する印刷イメージを形成するように構成されたイメージ形成部のうち、少なくとも一方を有してもよい。
【００３７】
前記第１及び第２導光部材のそれぞれは、前記入射面に対向する端部から光が出力されないように形成されてもよい。
【００３８】
前記原稿を照明する光の光量は、前記第１及び第２中心線で最大化してもよい。
【００３９】
前記原稿を照明する全体光は、前記第１領域の前記中心位置と前記第２領域の前記中心位置との間の距離にかかわらずに実質均一であってもよい。
【００４０】
前記光源は発光ダイオードを有してもよい。
【００４１】
前記複数の反射溝は、前記第１及び第２光源から受光した光を拡散及び反射させる複数の反射溝を有してもよい。
【００４２】
前記入射面は前記第１及び第２導光部材のそれぞれの一端に形成され、前記第１及び第２導光部材のそれぞれの他端には反射板が設けられ、前記反射板は、前記入射面に入射した前記光、及び前記反射面により前記第１及び第２導光部材の少なくとも一方に向かって反射された前記光のうち少なくとも一方を反射させてもよい。
【００４３】
前記出射面は、前記原稿上に出射する前記光を集光させる集光レンズの形状を有してもよい。
【００４４】
前記反射面は、前記反射面上に形成される鋸歯パターンを有してもよい。
【００４５】
前記離隔距離は、前記導光部材の中心から前記入射面を有する前記導光部材の第１端部に向かって漸次増加する前記複数の反射溝のうち、隣接する各反射溝間の離隔距離を含んでもよい。
【発明の効果】
【００４６】
以上説明したように本発明にかかるによれば、原稿の一定領域で均一な光分布を具現することができるスキャナモジュール及びこのスキャナモジュールを備えた複合機及びイメージスキャニング装置が得られる。
【発明を実施するための最良の形態】
【００４７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４８】
図６は、本発明の実施形態に従うスキャナモジュール１０の光学的配置を示す図である。図面を参照すると、本発明の実施形態に従うスキャナモジュール１０は、原稿台５１に置かれた対象物５５に光を照明する照明装置１００と、対象物５５で反射される光を受光して電気的な信号に変換するイメージセンサ１３０と、対象物５５から反射されて来る光を反射させてイメージセンサ１３０に案内する複数の反射ミラー１４０と、光が過ぎる光経路上でイメージセンサ１３０の前方に配置されてイメージセンサ１３０に光を集光して結像させる結像レンズ１２０とを含む。
【００４９】
このようなスキャナモジュール１０の構成要素のうち、イメージセンサ１３０は結像レンズ１２０を介して結像された光ビームから対象物５５の画像情報を読み取るものであって、適用される分野によって多様に配列されたセンシング要素を備える。例えば、上記イメージセンサ１３０は、単一列で配列されたセンシング要素を具備するか、赤／緑／青または赤／緑／青／白黒カラーイメージスキャニングのために多数列で配列されたセンシング要素を備える。
【００５０】
本発明の実施形態によると、複数の反射ミラー１４０は対象物５５と結像レンズ１２０との間に提供される。反射ミラー１４０は制限された空間で光経路が確保できるように対象物５５から反射された光を反射させて光路を変換する。図６では４個の反射ミラー１４０を例として表したが、これに限定されるものではなく、必要によって多様な枚数に変形可能である。
【００５１】
また、本発明に従うスキャナモジュール１０は、イメージセンサ１３０に向かう光ビームを規制することができるようになった光窓（ｌｉｇｈｔ  ｗｉｎｄｏｗ）１５０をさらに含むことができる。光窓１５０は照明装置１００と複数の反射ミラー１４０との間に配置されるものであって、対象物５５から反射された光のうち、好ましくない光がイメージセンサ１３０に到達することを遮断する。
【００５２】
図７は本発明の本実施形態に従うスキャナモジュール１０に採用される照明装置の光学的配置を示す概略図であり、図８は図７に図示された照明装置を示す斜視図である。
【００５３】
図７及び図８を参照すると、照明装置１００は、原稿または原稿台５１上に光が照明できるようにサブスキャン方向（図８でＹ方向）に光を照射する。上記サブスキャン方向はスキャナモジュール１０の画像スキャン方向（Ｘ方向）と実質的に直交する。照明装置１００は、光を照射する光源２００と、原稿台５１に対向し、上記サブスキャン方向に延びる導光部２１０とを含む。
【００５４】
導光部２１０は、光源２００から照射される光を分散させて対象物５５側に案内する。導光部２１０は、サブスキャン方向（Ｙ）を長手方向とし、画像スキャン方向（Ｘ）を幅方向として、原稿台５１と対向するように配置される一対の導光部材２１０Ａ、２１０Ｂにより形成される。
【００５５】
本発明の実施形態によると、光源２００は、赤色、緑色、青色を発生させる三原色の波長帯域で構成された発光ダイオード素子からなる。本発明において、光源２００として使用される発光ダイオード素子（ＬＥＤ）は半導体素子であるので、従来に光源として使われた冷陰極蛍光ランプやキセノンランプに比べて速い時間に充分の光量を発生させることができるので、スキャナモジュール１０の始動時間を短縮させることができ、使われる電力を低減させることができる。例えば、ＬＥＤが本発明の実施形態にスキャナモジュールの光源として使われる場合、半導体素子であるＬＥＤは短時間（例えば、１μｓ）内に光出力を最大化することができ、上記光源の始動時間も冷陰極蛍光ランプを採用した光源に比べて３０秒以上低減されることができる。
【００５６】
また、冷陰極蛍光ランプの場合には、低温で光量が減少されるが、本発明の実施形態に従って半導体光源を使用する場合には、広い温度範囲で安定した光出力を保証することができる。また、上記半導体光源は、内部回路の騒音の原因となる電子波を低減させることができる。併せて、本発明の実施形態に従う半導体光源は、薄型ガラス材料で製造される冷陰極蛍光ランプより耐久性が良好である。
【００５７】
また、上記ＬＥＤは冷陰極蛍光ランプより寿命が長いという長所がある。併せて、上記ＬＥＤは水銀の使用が排除できるので環境問題にとっても安全である。
【００５８】
実施形態において、光源２００は、赤色、緑色、青色を発生させる三原色の波長帯域で構成された発光ダイオード素子からなっているが、本発明はこれに限定せず、光源２００が青色を発生させる発光ダイオード素子に蛍光体が塗布されて白色を発生させる白色発光ダイオード素子や、紫外線を発生させる発光ダイオード素子に蛍光体が塗布されて白色を発生させる白色発光ダイオード素子で形成されるようにすることも可能である。また、発光ダイオード素子の他にも多様な点光源形態の光源が上記光源２００として使用されることができる。
【００５９】
導光部材２１０Ａ、２１０Ｂは、光源２００から照射された光の進行経路を変換して原稿台５１上の少なくとも２つの領域（Ａ１）、（Ａ２）に光を各々照明するように一対が備えられて画像スキャン方向に互いに離隔するように設置されるが、便宜上、一対の導光部材２１０Ａ、２１０Ｂのうち、画像スキャン方向の一側の導光部材２１０Ａを第１導光部材２１０Ａとし、他側の導光部材２１０Ｂを第２導光部材２１０Ｂとする。ここで、少なくとも２つの領域（Ａ１）、（Ａ２）のそれぞれの中心位置（Ｃ１）、（Ｃ２）が画像スキャン方向（Ｘ）に間隔（ｄ）だけ相互離隔している。したがって、原稿台５１上に置かれた対象物５５の中心（Ｃ）とこの中心（Ｃ）から外れた所定位置を含んだ対象物５５の面の一定領域に光を照明することができる。
【００６０】
本実施形態において、照明装置１００は説明の便宜のために、図５及び図６に示すように、光が照明される領域であって、第１領域（Ａ１）及び第２領域（Ａ２）を例に挙げて表したし、導光部材２１０Ａ、２１０Ｂは一対が備えられて第１領域（Ａ１）及び第２領域（Ａ２）の各々に光が照明できるようになっている。また、照明装置１００は、一対の導光部材２１０Ａ、２１０Ｂを光経路上に配置する時、一対の導光部材２１０Ａ、２１０Ｂの設置位置がガイドできるようにホルダー２３０をさらに含むことができる。
【００６１】
一対の導光部材２１０Ａ、２１０Ｂは、各々サブスキャン方向（Ｙ）を長手方向とする棒形状で形成され、ポリメチルメタクリレート（ＰＭＭＡ：Ｐｏｌｙｍｅｔｈｌｙ  Ｍｅｔｈａｃｒｙｌａｔｅ）のような透明材質で形成される。各導光部材２１０Ａ、２１０Ｂには、入射面２１１、ガイド面２１３、反射面２１５、及び出射面２１７が設けられる。
【００６２】
入射面２１１は光源２００から照射された光が入射される面であって、導光部材２１０Ａ、２１０Ｂの長手方向への両端面（ｂｏｔｈ  ｅｎｄ  ｐｏｒｔｉｏｎｓ）のうち、少なくともどれか一端面に形成される。光源２００は入射面２１１に対向するように設置される。
【００６３】
例えば、図９は入射面２１１が導光部材２１０Ａ、２１０Ｂの長手方向への両端面に各々形成された場合を例として表したものである。この場合、導光部材２１０Ａ、２１０Ｂの両端面に形成された入射面２１１に光源２００が各々設置されて、２つの入射面２１１の各々を通じて光を照明することによって、照明装置１００の照明光量を増加させることができる。
【００６４】
一方、一対の導光部材２１０Ａ、２１０Ｂをホルダー２３０に設置するに当たって、対象物５５から反射された光の進行経路に干渉されないように傾斜して配置される。即ち、図７に示すように、一対の導光部材２１０Ａ、２１０Ｂの各々から照明された光の中心線が中心光軸（Ｚ）に対して傾斜するように配置される。
【００６５】
図１０は、図７のように、光源と一対の導光部材２１０Ａ、２１０Ｂを配置した場合において、原稿面での導光部材２１０Ａ、２１０Ｂの幅方向の光量分布を示すグラフである。図１０を参照すると、参照番号２５１は一対の導光部材２１０Ａ、２１０Ｂのうち、第１導光部材２１０Ａから出射されて原稿台５１上の原稿面に結ばれた光量分布を示す曲線であり、参照番号２５３は第２導光部材２１０Ｂから出射されて原稿台５１に結ばれた光量分布を示す曲線である。そして、参照番号２５５は原稿台５１に結ばれた総光量分布を示す曲線である。
【００６６】
また、図７を参照すると、本発明の実施形態のように、光源２００及び導光部材２１０Ａ、２１０Ｂを構成した場合、原稿台５１に照明された光の最大光量値が具現される部分が第１領域（Ａ１）の中心位置（Ｃ１）と第２領域（Ａ２）の中心位置（Ｃ２）であることが分かる。また、２つの中心位置が間隔（ｄ）だけ離隔しているところ、前述した２つの光量分布を合算した曲線２５５を見ると、第１領域と第２領域（Ａ１）（Ａ２）の各々に照明された光の位置別合算光量値が第１領域（Ａ１）の中心位置（Ｃ１）と第２領域（Ａ２）の中心位置（Ｃ２）との間で、実質上、同一な光量分布を有することができる。
【００６７】
前述したように照明装置１００を構成することで、従来の照明装置に比べて広い領域の原稿面に対して同時に光を照明することができる。したがって、カラースキャニングが可能なスキャナモジュール１０に適用することができ、スキャナモジュール１０を構成する光学要素の組立て許容公差を大きくすることができるので、スキャナモジュール１０への適用時、スキャナモジュール１０の量産性を改善することができる。
【００６８】
したがって、本発明の実施形態に従うスキャナモジュール１０は、前述したように、広い原稿面に亘って光を照明する照明装置１００を採用することで、反射ミラー１４０と結像レンズ１２０の組立て公差などによって、イメージセンサ１３０で獲得される出力値が変化されることを防止することができる。
【００６９】
出射面２１７は原稿台５１と対向し、反射面２１５及びガイド面２１３により拡散反射された光が出射される面であって、このような出射面２１７は集束レンズ形状で形成されることができる。このような場合、原稿台５１方向に出射される光が原稿台５１に集光されて、第１領域（Ａ１）にガウシアン分布の光を照明する。本実施形態において、出射面２１７の形状は図７に図示したように所定の曲率を有する弧形状断面を有する凸レンズ形状でなされる。
【００７０】
反射面２１５は出射面２１７に対向するように配置され、入射面２１１を通じて入射された光を拡散反射させることで、出射面２１７の全体に亘って均一光が出射されるようにする。このために、反射面２１５はその全体に亘って乱反射処理されたことが好ましい。
【００７１】
本実施形態において、反射面２１５には図１１に図示したように光源２００から放射された光を反射する多数の反射溝２１５ａ、２１５ｂが凹んで設けられて、光源２００から放射された光を乱反射できるようになっている。反射溝２１５ａ、２１５ｂは、導光部材２１０Ａ、２１０Ｂの長手方向の両端の光源２００から放射された光を容易に反射して導光部材２１０Ａ、２１０Ｂの出射面側に案内できるように三角形状の断面を有するように形成されている。三角形断面を有する反射溝２１５ａ、２１５ｂは、その高さ（Ｈ）が高いほど、その両側の角度（θ１）が大きいほど、それに比例して各反射溝２１５ａ、２１５ｂにより導光部材２１０Ａ、２１０Ｂの出射面側に反射される光量は増加する。したがって、三角形断面を有する反射溝２１５ａ、２１５ｂの高さとその両側の角度を適切に形成されるようにすることで、導光部材２１０Ａ、２１０Ｂの各部位から放射される光量を細密に調節することができる。
【００７２】
本実施形態において、反射面２１５に形成された反射溝２１５ａ、２１５ｂは三角形断面を有するように形成されているが、本発明はこれに限定せず、必要によって反射溝２１５ａ、２１５ｂが弧形状の断面や四角形状の断面のように、多様な形態の断面を有するように形成することも可能である。
【００７３】
また、本発明に従うイメージスキャニング装置に適用された導光部材２１０Ａ、２１０Ｂの反射面２１５には、図１２に示すように、導光部材２１０Ａ、２１０Ｂの幅方向に傾斜するように延長形成された第１反射溝２１５ａと、導光部材２１０Ａ、２１０Ｂの幅方向に第１反射溝２１５ａと対称するように傾斜して延長形成された第２反射溝２１５ｂが形成される。本実施形態において、反射面２１５には第１反射溝２１５ａと第２反射溝２１５ｂとが互いに交差するように形成される。
【００７４】
このように、導光部材２１０Ａ、２１０Ｂの反射面２１５に第１反射溝２１５ａと第２反射溝２１５ｂを導光部材２１０Ａ、２１０Ｂの幅方向に互いに対称するように傾斜して延長形成すると、光源２００から放射された光は第１反射溝２１５ａ及び第２反射溝２１５ｂにより導光部材２１０Ａ、２１０Ｂの出射面側に案内されるだけでなく、側方に広がるようになるので、導光部材２１０Ａ、２１０Ｂの長手方向の両端側で導光部材２１０Ａ、２１０Ｂの幅方向に光が均一に分布する。この際、予測できるように、第１反射溝２１５ａの傾斜角度と第２反射溝２１５ｂの傾斜角度が増加するほど、光はより多く導光部材２１０Ａ、２１０Ｂの幅方向に広がる。
【００７５】
図１３には互いに対称するように幅方向に傾斜するように延長形成された多数の第１反射溝２１５ａ及び多数の第２反射溝２１５ｂを備えた本発明の導光部材２１０Ａ、２１０Ｂの長手方向の両端側から出射面２１７を通じて光が放射される場合、原稿面での幅方向の光量分布が図示されている。
【００７６】
図１３と図５とを比較すると、互いに平行するように形成された多数の反射溝１ｄを備えた従来の導光部材１と比較して、互いに対称するように導光部材２１０Ａ、２１０Ｂの幅方向に傾斜するように延びた第１反射溝２１５ａと第２反射溝２１５ｂとを備えた本発明の導光部材２１０Ａ、２１０Ｂにより光が導光部材２１０Ａ、２１０Ｂの幅方向に効率の良く広がって原稿面でより均一な光量分布を表すことを確認することができる。
【００７７】
本実施形態において、反射面２１５には多数の反射溝２１５ａ、２１５ｂが設けられて光を乱反射するようになっているが、本発明はこれに限定せず、マイクロレンズ形状及びシリンドリカル（ｃｙｌｉｎｄｒｉｃａｌ）レンズ形状のうち、少なくともどれか１つの形状で形成することができる。このように反射面２１５を形成した場合、反射面２１５は入射光を乱反射させることによって、均一光が出射面２１７を通じて出射されるようにすることができる。また、反射面２１５に白色塗料のような光拡散物質を塗布することで、光が出射面２１７を通じて均一に出射されることができる。
【００７８】
また、図７を参照すると、ガイド面２１３は導光部材２１０Ａ、２１０Ｂの長手方向の両側面に各々設けられるものであって、内部全反射により入射面２１１を通じて入射された光が出射面２１７の全体に亘って出射されるようにその進行方向をガイドする。
【００７９】
このようなガイド面２１３は反射面２１５から多様な角度で反射された光を全て反射さ
せて導光部材２１０Ａ、２１０Ｂの出射面側に案内できるように、図１４に図示したよう
に、導光部材２１０Ａ、２１０Ｂの両側に互いに対称するように各々多数個ずつ形成されるが、このように、導光部材２１０Ａ、２１０Ｂの両側に多数のガイド面２１３を形成すると、反射面２１５から反射された光の大部分がガイド面２１３により反射されて導光部材２１０Ａ、２１０Ｂの出射面側に案内されるので、ガイド面２１３を透過して導光部材２１０Ａ、２１０Ｂの外側に漏洩される光量は大幅減少する。また、ガイド面２１３は、反射面２１５から反射された光を再度反射させるので、反射面２１５と共に仮想の光源の役目を遂行することになる。したがって、ガイド面２１３の角度を調節することによって、導光部材２１０Ａ、２１０Ｂの出射面を通じて出射される光の原稿面での光量分布を細密に調節することができる。
【００８０】
本実施形態において、このようなガイド面２１３には、反射面２１５の両側から延長形成されて反射面２１５と鈍角をなす第１ガイド面２１３ａと、第１ガイド面２１３ａの端部から延長形成されて第１ガイド面２１３ａと鈍角をなす第２ガイド面２１３ｂが設けられている。
【００８１】
このように、導光部材２１０Ａ、２１０Ｂの幅方向の両側に第１ガイド面２１３ａと第２ガイド面２１３ｂが各々形成されるようにすると、相対的に大きい反射角度で反射面２１５から反射された光は第１ガイド面２１３ａに入射されて第１ガイド面２１３ａにより導光部材２１０Ａ、２１０Ｂの出射面側に反射され、相対的に小さな反射角度で反射面２１５から反射された光は第２ガイド面２１３ｂに入射されて第２ガイド面２１３ｂにより導光部材２１０Ａ、２１０Ｂの出射面側に反射されるので、導光部材２１０Ａ、２１０Ｂの外部に漏洩されて損失される光量は減少する。
【００８２】
この際、光量の減少を最小化するためには、反射面２１５により反射されて第１ガイド面２１３ａと第２ガイド面２１３ｂに入射される光の入射角が光の全反射がなされる臨界入射角（θ２）以上に形成されるようにすることが好ましい。
【００８３】
本実施形態によると、反射面２１５と第１ガイド面２１３ａとがなす角度が光の全反射がなされる臨界入射角（θ２）に９０度を合せた値以上になるように形成されることが好ましくて、第２ガイド面２１３ｂは、反射面２１５から反射された光の第２ガイド面２１３ｂへの入射角が臨界入射角（θ２）以上になるように形成されることが好ましい。この際、導光部材２１０Ａ、２１０Ｂの幅方向の両側に形成された一対の第２ガイド面２１３ｂのうち、どれか一側の第２ガイド面２１３ｂに入射される光の最小入射角は反射面２１５と他側の第１ガイド面２１３ｂの境界となる隅と一側の第１ガイド面２１３ａと一側の第２ガイド面２１３ｂとの境界となる隅を連結する仮想の直線（Ｌ）（図１４参照）と一側の第２ガイド面２１３ｂとがなす角度と対応するので、一側の第２ガイド面２１３ｂと仮想の直線（Ｌ）とがなす角度が臨界入射角（θ２）に９０度を合せた値以上になるように形成されるようにすることが好ましい。
【００８４】
本実施形態において、導光部材２１０Ａ、２１０Ｂは、前述したように、ポリメチルメタクリレートからなるが、ポリメチルメタクリレートの場合、光が反射できる光の臨界入射角（θ２）は４１．８度である。したがって、反射面２１５と第１ガイド面２１３ａとがなす角度及び仮想の直線Ｌと第２ガイド面２１３ｂとがなす角度は、各々１３１．８度以上に形成される。
【００８５】
本発明の第１実施形態において、反射面２１５と第１ガイド面２１３ａとがなす角度、及び仮想の直線（Ｌ）と第２ガイド面２１３ｂとがなす角度は、各々９０度に臨界入射角を合せた値以上に形成されるようになっているが、反射面２１５で光はランバーシアン（Ｌａｍｂｅｒｔｉａｎ）反射されるので、第１ガイド面２１３ａに入射される光量は実質的には非常に小さい。したがって、本発明の他の実施形態によると、仮想の直線（Ｌ）と第２ガイド面２１３ｂとがなす角度のみ９０度に臨界入射角（θ２）を合せた値以上に形成されるようにして、乱反射及び均一な光量分布を獲得することも可能である。
【００８６】
本実施形態において、導光部材２１０Ａ、２１０Ｂは、ポリメチルメタクリレートからなっているが、本発明はこれに限定されない。例えば、導光部材２１０Ａ、２１０Ｂは無色透明樹脂を利用して形成されることができる。この際、樹脂の種類による臨界入射角はスネルの法則（ｓｎｅｌｌ’ｓ  ｌａｗ）により計算されて算出される。
【００８７】
図１５は、本実施形態に従うイメージスキャニング装置を示すブロック図である。図面を参照すると、本発明の実施形態に従うイメージスキャニング装置は、スキャナモジュール１０と、スキャナモジュール１０から獲得されたイメージを処理するイメージ処理部２０とを含む。ここで、本発明に従うイメージスキャニング装置は、多機能プリンタ（Ｍｕｌｔｉ  Ｆｕｎｃｔｉｏｎ  Ｐｒｉｎｔｅｒ：ＭＦＰ）、ディジタル複写機、またはスキャナ装置を意味する。
【００８８】
スキャナモジュール１０は、前述した本発明の実施形態に従うスキャナモジュール１０と実質上同一であるので、その詳細な説明は省略する。イメージ処理部２０は、スキャナモジュール１０のイメージセンサから獲得されたイメージからイメージファイルを形成するファイル形成部２１と、イメージセンサから獲得されたイメージを基盤にして印刷媒体に画像を形成する画像形成部２５のうち、少なくともどれか１つを含む。ファイル形成部２１は、マイクロプロセッサ、マイクロコントローラ、またはこれに相応するものである。ファイル形成部２１は、１つ以上のコンピュータ命令を実行してスキャナモジュール１０のイメージセンサから受信したイメージデータに基づいてイメージファイルを形成するＣＰＵを含む。また、ファイル形成部２１はメモリ装置を追加に含む。上記メモリ装置は、コンピュータ命令を格納するためのＲＡＭ、ＲＯＭ、及びフラッシュメモリを含む。上記画像形成部は多様な印刷機構を含む。例えば、上記画像形成部は電子写真画像形成技術を採用した装置を含むことができる。上記装置は潜像（ｌａｔｅｎｔ  ｉｍａｇｅ）が形成される感光部材を含む。上記潜像はトナーイメージに切換されて紙のような印刷媒体に転写される。また、ファイル形成部２１は、インクジェット技術を採用する装置を含むことができる。上記装置はインクジェットプリントヘッドを含み、上記インクジェットプリントヘッドは紙のような印刷媒体に小さなインキ液滴をノズルを介して噴射させる。
【００８９】
したがって、前述したように構成された照明装置１００を採用したスキャナモジュール１０を含んでイメージスキャニング装置を構成することで、多数列で構成されたイメージセンサで均一な値を出力することができ、多様な外部パラメータによる反射ミラーのような光学要素の位置変化などに対しても均一な値を出力することができる。
【００９０】
図８では、一対の導光部材２１０Ａ、２１０Ｂがホルダー２３０を通じて互いに連結されるようになっているが、本発明はこれに限定されない。例えば、図１６に示すように、一対の導光部材３１０Ａ、３１０Ｂが単一射出物からなるようにすることも可能である。
【００９１】
図１６は、一対の導光部材３１０Ａ、３１０Ｂの両端部が相互連結された構造を示すものである。この場合、一対の導光部材３１０Ａ、３１０Ｂは一体で射出成形され、量産時に同時に組立てられることができる。また、一対の導光部材３１０Ａ、３１０Ｂの各々に光を照射する光源は単一基板３６０に一体で構成することができる。また、導光部材３１０Ａ、３１０Ｂの間に、図１７に示すように、結合ガイド構造３７０を形成して照明装置３００の組立て性を向上させることができる。上記のような射出成形及び同時組立ては組立て公差と関連した問題を軽減し、組立て作業を単純化し、製造コストを低減させることができるという長所を有する。
【００９２】
図１４において、第１ガイド面２１３ａ及び第２ガイド面２１３ｂは、各々直線断面を有するように形成されているが、本発明はこれに限定されない。例えば、図１８に示すように、導光部材４１０Ａ、４１０Ｂの第１ガイド面４１３ａは曲面で形成し、第２ガイド面４１３ｂは直線断面を有するように形成しても類似の効果が得られる。
【００９３】
図７では、導光部材２１０Ａ、２１０Ｂの反射面２１５のみで乱反射がなされるようになっているが、これに限定せず、図１９に示すように、導光部材５１０Ａ、５１０Ｂの反射面５１５及びガイド面５１３のうち、少なくともどれか一面に形成された反射部材５３５が形成されるようにすることも可能である。図１９には、反射部材５３５がガイド面５１３と反射面５１５ともに形成されたことが例として提示されている。反射部材５３５は、光源５００から照明された光の波長帯域で略９０％以上の高反射率を有する材料を印刷またはコーティングすることにより形成されることができる。ここで、高反射率材料自体は広く知られているところ、その詳細な説明は省略する。
【００９４】
また、図７において、出射面２１７は弧形状断面を有する凸レンズ形状で形成されているが、これに限定せず、図１９に示すように、平面形状やフレネルレンズパターンが形成された平板レンズの形状で形成されることができる。
【００９５】
図９では、入射面２１１が導光部材２１０Ａ、２１０Ｂの長手方向の両端面に形成されている場合を例として説明したが、これに限定せず、図２０に示すように、光源６００が導光部材６１０Ａ、６１０Ｂの長手方向の一端面のみに設置されるようにすることで、入射面６１１が導光部材６１０Ａ、６１０Ｂの長手方向の一端面のみに形成されるようにすることも可能である。このような場合、導光部材６１０Ａ、６１０Ｂの長手方向への他端面には反射板６３１がさらに備えられる。したがって、入射面６１１または反射面６１５を経由して入射された光を導光部材６１０Ａ、６１０Ｂの内部に反射させることによって、光源６００から照明された光が他端面に出射されることを防止する。
【００９６】
また、図１２において、第１反射溝２１５ａと第２反射溝２１５ｂは、便宜上、互いに交差するように形成されているが、これに限定せず、図２１に示すように、反射面７１１の第１反射溝７１１ａと第２反射溝７１１ｂとが互いに交差されず、導光部材７１０Ａ、７１０Ｂの長手方向に互いに交互に配置されるようにしても同一な作用効果が得られる。
【００９７】
また、本実施形態によると、第１反射溝２１５ａの傾斜角度及び第２反射溝２１５ｂの傾斜角度は、導光部材の長手方向に全体的に同一に形成されているが、本発明はこれに限定されない。導光部材２１０Ａ、２１０Ｂで放射される光の原稿面での光量分布が導光部材２１０Ａ、２１０Ｂの幅方向に不均一になる現象は、主に導光部材２１０Ａ、２１０Ｂの長手方向の両端側で発生する。したがって、本発明の他の実施形態によると、図２２に示すように、反射面８１１に形成された第１反射溝８１１ａの傾斜角度と第２反射溝８１１ｂの傾斜角度が導光部材８１０Ａ、８１０Ｂの中央側から両端側へ進行するにつれて徐々に増加するように形成することによって、光の拡散が導光部材８１０Ａ、８１０Ｂの中央側に比べて両端側でより効率的になされるようにすることも可能である。
【００９８】
また、上記のように、導光部材８１０Ａ、８１０Ｂに形成された第１反射溝８１１ａと第２反射溝８１１ｂの傾斜角度が増加するほど、それに比例して導光部材８１０Ａ、８１０Ｂの長手方向の両端側から放射される光量は増加する。したがって、第１反射溝８１１ａの傾斜角度と第２反射溝８１１ｂの傾斜角度が導光部材８１０Ａ、８１０Ｂの中央側から両端側に進行するにつれて徐々に増加されるようにすると、導光部材８１０Ａ、８１０Ｂの長手方向の両端側から対象物５５に照射される光量が増加して、導光部材８１０Ａ、８１０Ｂの中央側から放射される光量と導光部材８１０Ａ、８１０Ｂの長手方向の両端側から放射される光量の差は増加する。
【００９９】
このような光量の差を補償するために、図２３に示すように、導光部材９１０Ａ、９１０Ｂの中央側から両端側へ進行し、徐々に第１反射溝９１１ａの傾斜角度及び第２反射溝９１１ｂの傾斜角度が増加されるようにすると共に、第１反射溝９１１ａ及び第２反射溝９１１ｂの間隔が第１反射溝９１１ａの傾斜角度及び第２反射溝９１１ｂの傾斜角度と比例して増加するようにすると、導光部材９１０Ａ、９１０Ｂの長手方向の両端側から放射される光量が減って導光部材９１０Ａ、９１０Ｂの中央側から照射される光量と導光部材９１０Ａ、９１０Ｂの長手方向の両端側から照射される光量の差は減る。
【０１００】
上記の実施形態では、光源と複数の反射ミラーが１つのモジュールで形成されているＣＣＤＭに適用された場合を例として説明したが、光源と１つの反射ミラーを１つのモジュールで形成し、２つの反射ミラーをもう１つのモジュールで形成して、２つのミラーにより形成されたモジュールが移動して画像を読み取るようになっている機種（Ｍｉｒｒｏｒ  ｍｏｖｉｎｇ  ｔｙｐｅ：ＭＭＴ）にもそのまま適用されることができる。
【０１０１】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１０２】
【図１】一般的なカラーイメージセンシングのためのカラーセンサ部を採用したスキ    ャナモジュールを示す概略図である。
【図２】一般的なスキャナモジュールにおいて、ミラーの位置及び角度変更によるス    キャナモジュールの結像位置変化を説明するための概略図である。
【図３】一般的なスキャナモジュールにおいて、イメージセンサの位置変更によるス    キャナモジュールの結像位置変化を説明するための概略図である。
【図４】従来の発光ダイオードを照明光源として採用したイメージスキャニング装置    用の照明装置を示す概略図である。
【図５】図４の照明装置において、原稿面での光量分布を示すグラフである。
【図６】本発明の実施形態に従うイメージスキャニング装置に採用されたスキャナモ    ジュールの概略図である。
【図７】本発明の実施形態に従うイメージスキャニング装置に採用された照明装置の    概略図である。
【図８】本発明の実施形態に従うイメージスキャニング装置に採用された照明装置の    斜視図である。
【図９】図８に図示された照明装置の断面図である。
【図１０】本発明の実施形態に従うイメージスキャニング装置において、原稿面での    導光部材の幅方向の光量分布を示すグラフである。
【図１１】本発明の実施形態に従うイメージスキャニング装置に適用された導光部材    の反射面の断面図である。
【図１２】本発明の実施形態に従うイメージスキャニング装置に適用された導光部材    の反射面を概略的に示す平面図である。
【図１３】本発明の実施形態に従うイメージスキャニング装置において、原稿面での    導光部材の幅方向の光量分布を示すグラフである。
【図１４】本発明の実施形態に従うイメージスキャニング装置に適用された導光部材    の断面図である。
【図１５】本発明に従うイメージスキャニング装置を示すブロック図である。
【図１６】本発明の実施形態に従うイメージスキャニング装置に適用された照明装置    の斜視図である。
【図１７】図１６のＡ部分拡大図である。
【図１８】本発明の実施形態に従うイメージスキャニング装置に適用された導光部材    の断面図である。
【図１９】本発明の実施形態に従うイメージスキャニング装置に適用された照明装置    の概略図である。
【図２０】本発明の実施形態に従うイメージスキャニング装置に適用された照明装置    の断面図である。
【図２１】本発明の実施形態に従うイメージスキャニング装置に適用された導光部材    の平面図である。
【図２２】本発明の実施形態に従うイメージスキャニング装置に適用された導光部材    の平面図である。
【図２３】本発明の実施形態に従うイメージスキャニング装置に適用された導光部材    の平面図である。
【符号の説明】
【０１０３】
５１    原稿台
１００、３００    照明装置
１２０    結像レンズ
１３０    センサ部
２００    光源
２３０    ホルダー
３１０    導光部材
２１１    入射面
２１３    ガイド面
２１５    反射面
２１７    出射面
１０    スキャナモジュール
２０    イメージ処理部
２１    ファイル形成部
２５    画像形成部
【図１】
0005670014.tif 000002
【図２】
0005670014.tif 000003
【図３】
0005670014.tif 000004
【図４】
0005670014.tif 000005
【図５】
0005670014.tif 000006
【図６】
0005670014.tif 000007
【図７】
0005670014.tif 000008
【図８】
0005670014.tif 000009
【図９】
0005670014.tif 000010
【図１０】
0005670014.tif 000011
【図１１】
0005670014.tif 000012
【図１２】
0005670014.tif 000013
【図１３】
0005670014.tif 000014
【図１４】
0005670014.tif 000015
【図１５】
0005670014.tif 000016
【図１６】
0005670014.tif 000017
【図１７】
0005670014.tif 000018
【図１８】
0005670014.tif 000019
【図１９】
0005670014.tif 000020
【図２０】
0005670014.tif 000021
【図２１】
0005670014.tif 000022
【図２２】
0005670014.tif 000023
【図２３】
0005670014.tif 000024